(57)【特許請求の範囲】
【請求項１】
内部凍結を防止する機能を有する給湯装置であって、
給湯装置に内蔵されて給湯装置内の温度を検出する温度センサーと、
給湯装置に内蔵されて給湯装置内を加熱するヒーターと、
気温が下がって凍結の可能性のある気温になると通電するサーモスタットと、
前記サーモスタットが通電しない場合にはサーモスタットの通電信号の有無を待機するのに要する電力だけを消費する状態が継続されるとともに前記サーモスタットが通電した場合には前記サーモスタットの通電信号をキー割り込み信号として受けて前記温度センサーで検出した温度に基づいて前記ヒーターを制御可能な状態に復帰し、さらに前記温度センサーで検出された温度が凍結防止制御開始温度よりも低くなった場合に凍結防止制御を開始する凍結防止制御部と、
を備え、
前記凍結防止制御部は、
前記温度センサーで検出された温度に応じて前記ヒーターを制御するためのインターバルを設定するインターバル設定部と、
前記インターバル設定部で設定されたインターバルに基づいて、前記ヒーターを制御するヒーター制御部と、
を有する給湯装置。
【請求項２】
請求項１に記載の給湯装置において、
外気の温度を検出する外気温センサーを有し、
前記インターバル設定部は、前記外気温センサーで検出された外気温に応じて前記ヒーターを制御するためのインターバルを設定し、さらに前記温度センサーで検出された温度に基づいて前記インターバルを補正する必要があるか否かを判定し、必要であれば補正してインターバルを設定する、
給湯装置。
【請求項３】
請求項１又は請求項２に記載の給湯装置において、
前記インターバル設定部は、前記温度センサーで検出された温度に基づいて、前記設定されているインターバルを補正する必要があるか否かを判定し、必要であれば補正してインターバルを再設定する、
給湯装置。
【請求項４】
請求項３に記載の給湯装置において、
前記インターバル設定部は、前記ヒーター制御部によって前記ヒーターを制御した場合に前記温度センサーで検出された温度に基づいて、前記設定されているインターバルを補正する必要があるか否かを判定し、必要であれば補正してインターバルを再設定する、
給湯装置。
【請求項５】
請求項３に記載の給湯装置において、
前記インターバル設定部は、前記ヒーター制御部によって前記ヒーターを制御した場合に前記温度センサーで検出された温度の上昇量に基づいて、前記設定されているインターバルを補正する必要があるか否かを判定し、必要であれば補正してインターバルを再設定する、
給湯装置。
【請求項６】
内部凍結を防止する機能を有する給湯装置であって、
給湯装置に内蔵されて給湯装置内の温度を検出する複数の温度センサーと、
給湯装置に内蔵されて給湯装置内の各部を加熱する複数のヒーターと、
気温が下がって凍結の可能性のある気温になると通電するサーモスタットと、
前記サーモスタットが通電しない場合にはサーモスタットの通電信号の有無を待機するのに要する電力だけを消費する状態が継続されるとともに前記サーモスタットが通電した場合には前記サーモスタットの通電信号をキー割り込み信号として受けて前記温度センサーで検出した温度に基づいて前記ヒーターを制御可能な状態に復帰し、さらに、いずれかひとつの温度センサーで検出された温度が凍結防止制御開始温度よりも低くなった場合に凍結防止制御を開始する凍結防止制御部と、
を備え、
前記凍結防止制御部は、
前記いずれかひとつの温度センサーで検出された温度に応じて前記複数のヒーターのうちその温度センサーに対応するヒーターを制御するためのインターバルを設定するインターバル設定部と、
前記インターバル設定部で設定されたインターバルに基づいて、前記対応するヒーターを制御するヒーター制御部と、
を有する給湯装置。
【請求項７】
請求項６に記載の給湯装置において、
外気の温度を検出する外気温センサーを有し、
前記インターバル設定部は、前記外気温センサーで検出された外気温に応じて前記複数のヒーターをそれぞれ制御するためのインターバルを設定し、さらにいずれかひとつの温度センサーで検出された温度に応じて前記複数のヒーターのうちその温度センサーに対応するヒーターを制御するためのインターバルを補正する必要があるか否かを判定し、必要であれば補正して、その対応するヒーターを制御するためのインターバルを設定する、
給湯装置。
【請求項８】
請求項６又は請求項７に記載の給湯装置において、
前記インターバル設定部は、いずれかひとつの温度センサーで検出された温度に応じて前記複数のヒーターのうちその温度センサーに対応するヒーターを制御するためのインターバルを補正する必要があるか否かを判定し、必要であれば補正して、その対応するヒーターを制御するためのインターバルを再設定する、
給湯装置。
【請求項９】
請求項８に記載の給湯装置において、
前記インターバル設定部は、前記ヒーター制御部によってヒーターを制御した場合にいずれかひとつの温度センサーで検出された温度に基づいて、前記複数のヒーターのうちその温度センサーに対応するヒーターを制御するためのインターバルを補正する必要があるか否かを判定し、必要であれば補正して、その対応するヒーターを制御するためのインターバルを再設定する、
給湯装置。
【請求項１０】
請求項８に記載の給湯装置において、
前記インターバル設定部は、前記ヒーター制御部によってヒーターを制御した場合にいずれかひとつの温度センサーで検出された温度の上昇量に基づいて、前記複数のヒーターのうちその温度センサーに対応するヒーターを制御するためのインターバルを補正する必要があるか否かを判定し、必要であれば補正して、その対応するヒーターを制御するためのインターバルを再設定する、
給湯装置。
【請求項１１】
給湯装置に内蔵されて給湯装置内の温度を検出する温度センサーと、給湯装置に内蔵されて給湯装置内を加熱するヒーターと、気温が下がって凍結の可能性のある気温になると通電するサーモスタットとを備えて、内部凍結を防止する機能を有する給湯装置の制御方法であって、
前記サーモスタットが通電しない場合にはサーモスタットの通電信号の有無を待機するのに要する電力だけを消費する状態が継続されるとともに前記サーモスタットが通電した場合には前記サーモスタットの通電信号をキー割り込み信号として受けて前記温度センサーで検出した温度に基づいて前記ヒーターを制御可能な状態に復帰し、さらに前記温度センサーで検出された温度が凍結防止制御開始温度よりも低くなった場合に凍結防止制御を開始する凍結防止制御工程を備え、
前記凍結防止制御工程は、さらに、
前記温度センサーで検出された温度に応じて前記ヒーターを制御するためのインターバルを設定するインターバル設定工程と、
前記インターバル設定工程で設定されたインターバルに基づいて、前記ヒーターを制御するヒーター制御工程と、
を有する給湯装置の制御方法。
【請求項１２】
給湯装置に内蔵されて給湯装置内の温度を検出する複数の温度センサーと、給湯装置に内蔵されて給湯装置内の各部を加熱する複数のヒーターと、気温が下がって凍結の可能性のある気温になると通電するサーモスタットとを備えて、内部凍結を防止する機能を有する給湯装置の制御方法であって、
前記サーモスタットが通電しない場合にはサーモスタットの通電信号の有無を待機するのに要する電力だけを消費する状態が継続されるとともに前記サーモスタットが通電した場合には前記サーモスタットの通電信号をキー割り込み信号として受けて前記温度センサーで検出した温度に基づいて前記ヒーターを制御可能な状態に復帰し、さらに、いずれかひとつの温度センサーで検出された温度が凍結防止制御開始温度よりも低くなった場合に凍結防止制御を開始する凍結防止制御工程を備え、
前記凍結防止制御工程は、さらに、
前記いずれかひとつの温度センサーで検出された温度に応じて前記複数のヒーターのうちその温度センサーに対応するヒーターを制御するためのインターバルを設定するインターバル設定工程と、
前記インターバル設定工程で設定されたインターバルに基づいて、前記対応するヒーターを制御するヒーター制御工程と、
を有する給湯装置の制御方法。
【発明の詳細な説明】
【技術分野】
【０００１】
この発明は、給湯装置及び給湯装置の制御方法に関する。
【背景技術】
【０００２】
寒冷地においては、冬季に給湯装置の内部に残留した水が凍結するおそれがある。そこで給湯装置の内部の適所にヒーターを取り付けて、凍結を防止する手法が種々提案されている。
【０００３】
特許文献１では、給湯装置の内部に複数の温度センサーを設け、いずれかひとつの温度センサーの検出温度が、凍結の可能性がある温度になったら、すべてのヒーターを作動させる。そして、すべての温度センサーの検出温度が、凍結の可能性のない温度になったら、すべてのヒーターの作動を停止することで、凍結を防止している。
【０００４】
特許文献２では、地表から地上に立ち上がる給水管・給湯管に、電気ヒーターを内装した凍結防止帯を巻き付ける。そして、配管温度センサーの検出温度が低い場合に、給水管・給湯管の電気ヒーターを通電することで、凍結を防止している。なお凍結防止帯には低温でオンするサーモスタットも内蔵されており、サーモスタットがオフの場合には、電気ヒーターに電気が供給されない。そのため、給湯管に湯の熱が残っている場合には、給湯管の電気ヒーターに電気が流れないので、無駄に電力を消費してしまうことを回避できる。
【０００５】
特許文献３では、給湯装置の内部の配管の凍結を防止するための凍結予防ヒーターを、入水管の上流部分に取り付けておく。そして入水温度センサーの検出温度が低くなったら、凍結予防ヒーターをオンする。そして給湯装置が一定の条件になったらスリープモードに移行することで、消費電力を抑制している。
【先行技術文献】
【特許文献】
【０００６】
【特許文献１】特許３４８７８８７号公報
【特許文献２】特開２００５−２８２３２０号公報
【特許文献３】特許５４３４３０３号公報
【発明の概要】
【発明が解決しようとする課題】
【０００７】
ところで、給湯器の排気口から風が流入（逆流）する場合がある。このように風が流入すると、給湯器の内部の温度が下がってしまい、凍結の可能性が高まる。確実に凍結を防止するには、ヒーターの出力を上げれば良いが、そのようにしては電力を過剰に浪費するおそれがある。
【０００８】
本発明は、このような従来の問題点に着目してなされた。本発明の目的は、給湯器の排気口から風が流入した場合でも、内部の凍結を防止でき、かつ省エネルギー性能に優れる給湯装置及び給湯装置の制御方法を提供することである。
【課題を解決するための手段】
【０００９】
本発明は以下のような解決手段によって前記課題を解決する。なお、理解を容易にするために本発明の実施形態に対応する符号を付するが、これに限定されるものではない。また符号を付して説明した構成は適宜代替しても改良してもよい。
【００１０】
第１の発明は、内部凍結を防止する機能を有する給湯装置であって、給湯装置に内蔵されて給湯装置内の温度を検出する温度センサー（１５１〜１５３）と、給湯装置に内蔵されて給湯装置内を加熱するヒーター（１６１〜１６８）と、気温が下がって凍結の可能性のある気温になると通電するサーモスタット（３０）と、前記サーモスタット（３０）が通電しない場合にはサーモスタット（３０）の通電信号の有無を待機するのに要する電力だけを消費する状態が継続されるとともに前記サーモスタット（３０）が通電した場合には前記サーモスタット（３０）の通電信号をキー割り込み信号として受けて前記温度センサー（１５１〜１５３）で検出した温度に基づいて前記ヒーター（１６１〜１６８）を制御可能な状態に復帰し、さらに前記温度センサー（１５１〜１５３）で検出された温度が凍結防止制御開始温度よりも低くなった場合に凍結防止制御を開始する凍結防止制御部（Ｓ３００）と、を備え、前記凍結防止制御部（Ｓ３００）は、前記温度センサー（１５１〜１５３）で検出された温度に応じて前記ヒーター（１６１〜１６８）を制御するためのインターバルを設定するインターバル設定部（Ｓ３２０〜Ｓ３６０）と、前記インターバル設定部（Ｓ３２０〜Ｓ３６０）で設定されたインターバルに基づいて、前記ヒーター（１６１〜１６８）を制御するヒーター制御部（Ｓ３７０）と、を有する給湯装置である。
【００１１】
第２の発明は、第１の発明において、外気の温度を検出する外気温センサーを有し、前記インターバル設定部（Ｓ３２０〜Ｓ３６０）は、前記外気温センサーで検出された外気温に応じて前記ヒーター（１６１〜１６８）を制御するためのインターバルを設定し、さらに前記温度センサー（１５１〜１５３）で検出された温度に基づいて前記インターバルを補正する必要があるか否かを判定し、必要であれば補正してインターバルを設定する、給湯装置である。
【００１２】
第３の発明は、第１又は第２の発明において、前記インターバル設定部（Ｓ３２０〜Ｓ３６０）は、前記温度センサー（１５１〜１５３）で検出された温度に基づいて、前記設定されているインターバルを補正する必要があるか否かを判定し、必要であれば補正してインターバルを再設定する、給湯装置である。
【００１３】
第４の発明は、第３の発明において、前記インターバル設定部（Ｓ３２０〜Ｓ３６０）は、前記ヒーター制御部（Ｓ３７０）によって前記ヒーター（１６１〜１６８）を制御した場合に前記温度センサー（１５１〜１５３）で検出された温度に基づいて、前記設定されているインターバルを補正する必要があるか否かを判定し、必要であれば補正してインターバルを再設定する、給湯装置である。
【００１４】
第５の発明は、第３の発明において、前記インターバル設定部（Ｓ３２０〜Ｓ３６０）は、前記ヒーター制御部（Ｓ３７０）によって前記ヒーター（１６１〜１６８）を制御した場合に前記温度センサー（１５１〜１５３）で検出された温度の上昇量に基づいて、前記設定されているインターバルを補正する必要があるか否かを判定し、必要であれば補正してインターバルを再設定する、給湯装置である。
【００１５】
第６の発明は、内部凍結を防止する機能を有する給湯装置であって、給湯装置に内蔵されて給湯装置内の温度を検出する複数の温度センサー（１５１〜１５３）と、給湯装置に内蔵されて給湯装置内の各部を加熱する複数のヒーター（１６１〜１６８）と、気温が下がって凍結の可能性のある気温になると通電するサーモスタット（３０）と、前記サーモスタット（３０）が通電しない場合にはサーモスタット（３０）の通電信号の有無を待機するのに要する電力だけを消費する状態が継続されるとともに前記サーモスタット（３０）が通電した場合には前記サーモスタット（３０）の通電信号をキー割り込み信号として受けて前記温度センサー（１５１〜１５３）で検出した温度に基づいて前記ヒーター（１６１〜１６８）を制御可能な状態に復帰し、さらに、いずれかひとつの温度センサー（１５１〜１５３）で検出された温度が凍結防止制御開始温度よりも低くなった場合に凍結防止制御を開始する凍結防止制御部（Ｓ３００）と、を備え、前記凍結防止制御部（Ｓ３００）は、前記いずれかひとつの温度センサー（１５１〜１５３）で検出された温度に応じて前記複数のヒーター（１６１〜１６８）のうちその温度センサー（１５１〜１５３）に対応するヒーター（１６１〜１６８）を制御するためのインターバルを設定するインターバル設定部（Ｓ３２０〜Ｓ３６０）と、前記インターバル設定部（Ｓ３２０〜Ｓ３６０）で設定されたインターバルに基づいて、前記対応するヒーター（１６１〜１６８）を制御するヒーター制御部（Ｓ３７０）と、を有する給湯装置である。
【００１６】
第７の発明は、第６の発明において、外気の温度を検出する外気温センサーを有し、前記インターバル設定部（Ｓ３２０〜Ｓ３６０）は、前記外気温センサーで検出された外気温に応じて前記複数のヒーター（１６１〜１６８）をそれぞれ制御するためのインターバルを設定し、さらにいずれかひとつの温度センサー（１５１〜１５３）で検出された温度に応じて前記複数のヒーター（１６１〜１６８）のうちその温度センサー（１５１〜１５３）に対応するヒーター（１６１〜１６８）を制御するためのインターバルを補正する必要があるか否かを判定し、必要であれば補正して、その対応するヒーター（１６１〜１６８）を制御するためのインターバルを設定する、給湯装置である。
【００１７】
第８の発明は、第６又は第７の発明において、前記インターバル設定部（Ｓ３２０〜Ｓ３６０）は、いずれかひとつの温度センサー（１５１〜１５３）で検出された温度に応じて前記複数のヒーター（１６１〜１６８）のうちその温度センサー（１５１〜１５３）に対応するヒーター（１６１〜１６８）を制御するためのインターバルを補正する必要があるか否かを判定し、必要であれば補正して、その対応するヒーター（１６１〜１６８）を制御するためのインターバルを再設定する、給湯装置である。
【００１８】
第９の発明は、第８の発明において、前記インターバル設定部（Ｓ３２０〜Ｓ３６０）は、前記ヒーター制御部（Ｓ３７０）によってヒーター（１６１〜１６８）を制御した場合にいずれかひとつの温度センサー（１５１〜１５３）で検出された温度に基づいて、前記複数のヒーター（１６１〜１６８）のうちその温度センサー（１５１〜１５３）に対応するヒーター（１６１〜１６８）を制御するためのインターバルを補正する必要があるか否かを判定し、必要であれば補正して、その対応するヒーター（１６１〜１６８）を制御するためのインターバルを再設定する、給湯装置である。
【００１９】
第１０の発明は、第８の発明において、前記インターバル設定部（Ｓ３２０〜Ｓ３６０）は、前記ヒーター制御部（Ｓ３７０）によってヒーター（１６１〜１６８）を制御した場合にいずれかひとつの温度センサー（１５１〜１５３）で検出された温度の上昇量に基づいて、前記複数のヒーター（１６１〜１６８）のうちその温度センサー（１５１〜１５３）に対応するヒーター（１６１〜１６８）を制御するためのインターバルを補正する必要があるか否かを判定し、必要であれば補正して、その対応するヒーター（１６１〜１６８）を制御するためのインターバルを再設定する、給湯装置である。
【００２１】
第１１の発明は、給湯装置に内蔵されて給湯装置内の温度を検出する温度センサー（１５１〜１５３）と、給湯装置に内蔵されて給湯装置内を加熱するヒーター（１６１〜１６８）と、気温が下がって凍結の可能性のある気温になると通電するサーモスタット（３０）とを備えて、内部凍結を防止する機能を有する給湯装置の制御方法であって、前記サーモスタット（３０）が通電しない場合にはサーモスタット（３０）の通電信号の有無を待機するのに要する電力だけを消費する状態が継続されるとともに前記サーモスタット（３０）が通電した場合には前記サーモスタット（３０）の通電信号をキー割り込み信号として受けて前記温度センサー（１５１〜１５３）で検出した温度に基づいて前記ヒーター（１６１〜１６８）を制御可能な状態に復帰し、さらに前記温度センサー（１５１〜１５３）で検出された温度が凍結防止制御開始温度よりも低くなった場合に凍結防止制御を開始する凍結防止制御工程（Ｓ３００）を備え、前記凍結防止制御工程（Ｓ３００）は、さらに、前記温度センサー（１５１〜１５３）で検出された温度に応じて前記ヒーター（１６１〜１６８）を制御するためのインターバルを設定するインターバル設定工程（Ｓ３２０〜Ｓ３６０）と、前記インターバル設定工程（Ｓ３２０〜Ｓ３６０）で設定されたインターバルに基づいて、前記ヒーター（１６１〜１６８）を制御するヒーター制御工程（Ｓ３７０）と、を有する給湯装置の制御方法である。
【００２２】
第１２の発明は、給湯装置に内蔵されて給湯装置内の温度を検出する複数の温度センサー（１５１〜１５３）と、給湯装置に内蔵されて給湯装置内の各部を加熱する複数のヒーター（１６１〜１６８）と、気温が下がって凍結の可能性のある気温になると通電するサーモスタット（３０）とを備えて、内部凍結を防止する機能を有する給湯装置の制御方法であって、前記サーモスタット（３０）が通電しない場合にはサーモスタット（３０）の通電信号の有無を待機するのに要する電力だけを消費する状態が継続されるとともに前記サーモスタット（３０）が通電した場合には前記サーモスタット（３０）の通電信号をキー割り込み信号として受けて前記温度センサー（１５１〜１５３）で検出した温度に基づいて前記ヒーター（１６１〜１６８）を制御可能な状態に復帰し、さらに、いずれかひとつの温度センサー（１５１〜１５３）で検出された温度が凍結防止制御開始温度よりも低くなった場合に凍結防止制御を開始する凍結防止制御工程（Ｓ３００）を備え、前記凍結防止制御工程（Ｓ３００）は、さらに、前記いずれかひとつの温度センサー（１５１〜１５３）で検出された温度に応じて前記複数のヒーター（１６１〜１６８）のうちその温度センサー（１５１〜１５３）に対応するヒーター（１６１〜１６８）を制御するためのインターバルを設定するインターバル設定工程（Ｓ３２０〜Ｓ３６０）と、前記インターバル設定工程（Ｓ３２０〜Ｓ３６０）で設定されたインターバルに基づいて、前記対応するヒーター（１６１〜１６８）を制御するヒーター制御工程（Ｓ３７０）と、を有する給湯装置の制御方法である。
【発明の効果】
【００２３】
この態様によれば、風が吹き込むなどして外気温は変わらないものの温度が低下するような場合でも、凍結を防止することができ、かつ優れた省エネルギー性能を呈することができる。
【図面の簡単な説明】
【００２４】
【図１】図１は、給湯装置１の給湯燃焼ユニット１０の分解斜視図である。
【図２】図２は、給湯燃焼ユニット１０を収装する外装筐体２０を説明する図である。
【図３】図３は、給湯装置１の運転中の空気の流れを説明する図である。
【図４】図４は、給湯装置１に内蔵されるサーミスター（温度センサー）及びヒーターについて説明する図である。
【図５】図５は、給湯装置１が停止している夜間などに凍結を防止すべくヒーターを作動させたときの給湯装置１の温度分布を示す図である。
【図６】図６は、本発明が解決しようとする課題について説明する図である。
【図７】図７は、寒冷時に凍結を防止するためのヒーターを作動させたときの給湯装置１の温度分布を示す図である。
【図８】図８は、給湯装置１のバリエーションを示す図である。
【図９】図９は、ＣＰＵをスリープ状態から復帰させるための回路の一例を示す図である。
【図１０】図１０は、給湯装置１のＣＰＵが実行する制御の内容を説明するメインフローチャートである。
【図１１】図１１は、ＣＰＵ作動制御を説明するフローチャートである。
【図１２】図１２は、凍結防止制御を説明するフローチャートである。
【図１３】図１３は、第２実施形態における凍結防止制御を説明するフローチャートである。
【発明を実施するための形態】
【００２５】
以下、添付図面を参照しながら本発明の実施形態について説明する。
【００２６】
＜第１実施形態＞
最初に実施形態の理解を容易にするために、給湯装置１について説明しておく。
【００２７】
図１は、給湯装置１の給湯燃焼ユニット１０の分解斜視図である。
【００２８】
給湯燃焼ユニット１０は、主として、バーナー１１の上部に熱交換器１２（潜熱熱交換部１２１及び顕熱熱交換部１２２）が配される構造である。
【００２９】
バーナー１１のバーナー本体１１１は、ガス管１１２から供給される燃料（ガス）を燃焼することで、高温の燃焼ガスを発生する。バーナー本体１１１の下部には、燃焼ファン１３が取り付けられる。この燃焼ファン１３によって、バーナー本体１１１に給気される。
【００３０】
熱交換器１２は、下部に配置された顕熱熱交換部１２２と、上部に配置された潜熱熱交換部１２１とを備える。外部から供給される水は、給水連絡管１２３を介して潜熱熱交換部１２１に流入して加熱されたのち、熱交連絡管１２４を介して顕熱熱交換部１２２に流れてさらに加熱される。そして顕熱熱交換部１２２で加熱された湯が給湯管１２５を流れ、途中で合流する水配管１２６の水とともに蛇口等に供給される。なお顕熱熱交換部１２２から給湯管１２５に流れ出る湯の温度は、出湯サーミスター１５１で検出される。
【００３１】
図２は、給湯燃焼ユニット１０を収装する外装筐体２０を説明する図である。
【００３２】
給湯燃焼ユニット１０は、図２に示される外装筐体２０に収装される。外装筐体２０のフロントカバー２１には、吸気口２１ａ及び排気口２１ｂが形成されている。そして、潜熱熱交換部１２１の排気口１２１ａが、この排気口２１ｂに合わせられる。なお外装筐体２０の下面に、外気温センサーが取り付けられている。またフロントカバー２１の裏には、仕切り板２２が装着されている。
【００３３】
図３は、給湯装置１の運転中の空気の流れを説明する図である。なお、図３（Ｆ）は仕切り板２２付きフロントカバー２１を取り外した状態での正面図、図３（Ｌ）は仕切り板２２付きフロントカバー２１を取り付けた状態での左側面図、図３（Ｒ）は仕切り板２２付きフロントカバー２１を取り付けた状態での右側面図、図３（Ｔ−１）は仕切り板２２付きフロントカバー２１を取り外した状態での上面図、図３（Ｔ−２）は仕切り板２２付きフロントカバー２１を取り付けた状態での上面図である。
【００３４】
図３（Ｔ−１）に示されているように、フロントカバー２１の裏には、仕切り板２２が装着されている。
【００３５】
図３（Ｒ）に示されているように、吸気口２１ａから吸入された空気は、仕切り板２２に沿って上昇する。空気と一緒に雨水が吸入されても、その雨水は上昇中に分離する。そして、空気が仕切り板２２の上部のスリット２２ａを通過したのち下降して燃焼ファン１３に吸引される。そして、この空気がバーナー１１（バーナー本体１１１）に送られる。バーナー本体１１１では、ガス管１１２から供給される燃料（ガス）を燃焼して、高温の燃焼ガスが発生する。
【００３６】
バーナー本体１１１で生成された燃焼ガスは、温度が千数百度である。この燃焼ガスが熱伝導率の良い銅製の顕熱熱交換部１２２において液水（温水）を加熱する。これによって、（燃焼ガスの持つ熱量のたとえば約８０％が吸収されて）燃焼ガスの温度は２００℃程度まで低下する。この燃焼ガスが耐食性を持つステンレス鋼製の潜熱熱交換部１２１において、外部から供給される水を加熱する。これによって、（燃焼ガスの持つ熱量のたとえば約１５％が吸収されて）燃焼ガスの温度は５０℃程度まで低下し、燃焼ガスに含まれる水蒸気が液水に凝縮する。このようにすることで、燃焼ガスに含まれる水分の潜熱（凝縮熱）を利用できることとなり、熱交換器１２によれば高い熱効率（たとえば９５％＝８０％＋１５％）を得ることができる。
【００３７】
そして潜熱熱交換部１２１で熱交換した燃焼ガスは、排気口１２１ａ（排気口２１ｂ）から排出される。
【００３８】
図４は、給湯装置１に内蔵されるサーミスター（温度センサー）及びヒーターについて説明する図である。
【００３９】
寒冷地においては、冬季に給湯装置１の内部に残留した水が凍結するおそれがあるので、給湯装置１の内部の適所に、温度を検出するサーミスター（温度センサー）及び凍結を防止するためのヒーターが取り付けられている。図４の給湯装置１では、以下の３個のサーミスター（温度センサー）及び８個のヒーターが取り付けられている。符号１５１が給湯管１２５に設けられる出湯サーミスターである。符号１５２が外部から供給される水の入口に設けられる給水サーミスターである。符号１５３が外部に供給する湯の出口に設けられる給湯サーミスターである。符号１６１が給水連絡管１２３に設けられる給水連絡管ヒーターである。符号１６２が熱交連絡管１２４に設けられる熱交連絡管ヒーターである。符号１６３が潜熱熱交換部１２１の入口に設けられる潜熱ユニット入口ヒーターである。符号１６４が潜熱熱交換部１２１の出口に設けられる潜熱ユニット出口ヒーターである。符号１６５が顕熱熱交換部１２２の側方に設けられる顕熱ユニットヒーターである。符号１６６がドレンタンク１４０の側方に設けられるドレンタンクヒーターである。符号１６７が外部から供給される水の入口に設けられる給水ヒーターである。符号１６８が外部に供給する湯の出口に設けられる給湯ヒーターである。
【００４０】
図４に示されている給水連絡管ヒーター１６１、熱交連絡管ヒーター１６２、潜熱ユニット入口ヒーター１６３、潜熱ユニット出口ヒーター１６４、顕熱ユニットヒーター１６５、ドレンタンクヒーター１６６、給水ヒーター１６７、給湯ヒーター１６８や、保温対象物である給水連絡管１２３、熱交連絡管１２４、潜熱熱交換部１２１の入口と出口、ドレンタンク１４０は、図３（Ｔ−１）、図３（Ｔ−２）に示される給湯燃焼ユニット１０を除く外装筐体２０内空間（正確には仕切り板２２とフロントカバー２１間空間を除く空間）に存在している。
【００４１】
図５は、給湯装置１が停止している夜間などに凍結を防止すべくヒーターを作動させたときの、無風状態での給湯装置１内の前記空間（給湯燃焼ユニット１０を除く外装筐体２０内空間）の温度分布を示す図である。無風時には仕切り板２２とフロントカバー２１間空間も略同じ温度を示す。
【００４２】
ヒーターで暖められた前記空間（給湯燃焼ユニット１０を除く外装筐体２０内空間）の空気は上昇するので、上方ほど温度が高いことが分かる。
【００４３】
図６は、本発明が解決しようとする課題について説明する図である。なお、図６（Ｆ）は仕切り板２２付きフロントカバー２１を取り外した状態での正面図、図６（Ｌ）は仕切り板２２付きフロントカバー２１を取り付けた状態での左側面図、図６（Ｒ）は仕切り板２２付きフロントカバー２１を取り付けた状態での右側面図、図６（Ｔ−１）は仕切り板２２付きフロントカバー２１を取り外した状態での上面図、図６（Ｔ−２）は仕切り板２２付きフロントカバー２１を取り付けた状態での上面図である。
【００４４】
給湯装置１が停止中に風が吹いて、排気口１２１ａから給湯装置１に流入（逆流）することがある。この場合、風(空気）は、図６（Ｒ）に示されるように、排気口１２１ａ→潜熱熱交換部１２１→顕熱熱交換部１２２→バーナー１１→燃焼ファン１３と通過したのち仕切り板２２に沿って上昇して、仕切り板２２の上部のスリット２２ａを通過し、仕切り板２２に沿って下降して、水抜穴から外部に出る。
【００４５】
図７は、給湯装置１が停止している夜間などに凍結を防止すべくヒーターを作動させたときの、有風（微風）状態での、給湯燃焼ユニット１０を除く外装筐体２０内空間（仕切り板２２とフロントカバー２１間空間を除く）の温度分布を示す図である。
【００４６】
凍結を防止すべくヒーターを作動させたときに微風が排気口１２１ａから給湯装置１に流入（逆流）すると、給湯装置１の温度分布は、図７に示されるようになり、上方であっても温度が低下している。なお左側に比べて右側の温度が低いのは、図６（Ｔ）に示されているように、左側では給湯燃焼ユニット１０と仕切り板２２との隙間Ａが小さく、右側では給湯燃焼ユニット１０と仕切り板２２との隙間Ｂが大きいので、排気口１２１ａから逆流した空気が、右側を流れやすく、右側が冷却されやすいためである。
【００４７】
このように、給湯装置１の温度分布は、風が吹いていなければ図５のようになって上方ほど温度が高くなるが、風が吹いていれば外気温が同じでも図７のようになって上方であっても温度が低くなる。さらに風が強く給湯装置１に流入（逆流）すると、図７の左側に残っていた暖かい空気もすべて流され、全体に温度が低くなる。
【００４８】
このように、外気温が同じでも風が吹いていると、より放熱されやすく冷えやすい。ところが、外気温センサーで検出した外気温に応じてヒーターを制御するような手法では、風の有無にかかわらず同じようにヒーターで加熱するので、給湯装置１の内部の風（空気）の流れによっては、凍結の可能性が否定できない。風が吹いても凍結しないようにするには、簡易的には常にヒーターを強めておけばよい。しかしながら、そのようにしては、風が吹いていない場合に過剰に電力を消費してしまう。
【００４９】
図８は、給湯装置１のバリエーションを示す図である。
【００５０】
給湯装置１は、さまざまな設置箇所に対応できるように、同一の給湯燃焼ユニットを使用しつつ外装筐体を代えたものが用意されている。たとえば、図２の外装筐体２０は屋外設置・標準タイプであるが、これに代えて、図８（Ａ）に示される屋外設置・延長（上排気）タイプや図８（Ｂ）に示される屋外設置・延長（前排気）タイプなど、さまざまなバリエーションがラインアップされている。
【００５１】
これらのタイプによって、排気口から給湯装置１に流入（逆流）するパターンが異なり、給湯装置１の内部の空気の流れ方も異なることとなって、風の流入の有無による温度分布が全く異なるのである。同じように風が吹いても、給湯器のバリエーションによって温度が下がらないこともあり、その場合も電力を無駄に消費してしまう。
【００５２】
そこで、本実施形態では、給湯装置１に内蔵されている温度センサーを参照することで、給湯装置１の内部温度が低下したか否かを検出し、低下している場合にだけヒーターを強めることで、省エネルギー性能を向上させるようにしたのである。
【００５３】
図５に示されているように、ヒーターで暖められた前記空間（給湯燃焼ユニット１０を除く外装筐体２０内空間）の空気は上昇するので上方ほど温度が高く、これとともに、配管内の温度を測定する出湯サーミスター１５１、給水サーミスター１５２、給湯サーミスター１５３もまた、たとえば４０℃、１５℃、１５℃のように機器特有の無風状態での温度分布を示す。
【００５４】
そして給湯装置１が停止中に風が吹くと、風が仕切り板２２に沿って上昇する際（図６（Ｆ）での上方向の矢印）と、仕切り板２２に沿って下降する際（図６（Ｒ）での下方向の矢印）に、給湯燃焼ユニット１０を除く外装筐体２０内空間を風が吹き抜ける。仕切り板２２に沿って下降する風は、図６（Ｒ）に示されるように仕切り板２２とフロントカバー２１との間の空間を流れるので、保温対象物である給水連絡管１２３、熱交連絡管１２４、潜熱熱交換部１２１の入口と出口、ドレンタンク１４０等から熱を奪う影響が少ない。しかしながら、仕切り板２２に沿って上昇する風は、例えば給湯サーミスター１５３〜出湯サーミスター１５１間の銅製の配管（例えば図６の配管１２５、配管１２６）に沿うように流れる結果、前記配管内の湯水が冷えて、無風時に例えば４０℃程度の水温が、給湯装置１が停止中に風が吹くと例えば２０℃のごとく水温が変化する（このときに顕熱熱交換部１２２中央部は約０℃となっている）。
【００５５】
さらに詳述すると、図６（Ｆ）に示される４本の風の流れのうち、一番左側の風は配管１２６を冷やした後、配管１２５も冷やして上部のスリット２２ａに至る。より中央よりの風は配管１２６のみを冷やして上部のスリット２２ａに至る。右側の２本の風はいずれの配管を冷やすことなく上部のスリット２２ａに至る。微風時には配管１２５，配管１２６が冷却される程度が少ない。風が強くなって、多量の風が給湯装置１に流入（逆流）すると、配管１２５，配管１２６は激しく冷却される。
【００５６】
顕熱熱交換部１２２は燃焼時には燃焼ガスの持つ熱量の例えば約８０％を吸収するが故に、燃焼していない場合には巨大な放熱器と化す。したがって風が強くなって、多量の風が給湯装置１に流入（逆流）しても顕熱熱交換部１２２が凍結しないように、強力な顕熱ユニットヒーター１６５を用いて凍結を防止している。しかし無風時には顕熱ユニットヒーター１６５で造られた熱が余り、銅製配管内湯水が対流により図６（Ｌ）に示される矢印Ｃの方向に溢れる。他方、給水ヒーター１６７で造られた熱（銅製配管内湯水）は配管１２６を（対流で）上昇し、給湯ヒーター１６８で造られた熱（銅製配管内湯水）は配管１２５を（対流で）上昇するが、風が給湯装置１に流入（逆流）すると、上昇途中で上昇に必要な熱が奪われる。しかし、風が強く給湯装置１に流入（逆流）しても、上昇（矢印Ｄ、矢印Ｅ）する場合がある。それは特許文献２のようなヒーターが用いられている場合であり、そのヒーターの有無・影響の程度は給水サーミスター１５２、給湯サーミスター１５３で見ることができる（たとえば特許文献２のようなヒーターが用いられていない場合には、給湯装置１内のヒーターにより例えば１５℃を示すが、特許文献２の図７が示すように特許文献２のようなヒーターが用いられている場合には、例えば６〜１０ｄｅｇｕｐの２１〜２５℃を示す）。給湯装置１の外のヒーターの有無・影響の程度を給水サーミスター１５２と給湯サーミスター１５３を用いて把握し、矢印Ｃ，矢印Ｄ，矢印Ｅの熱が集まる出湯サーミスター１５１の温度上昇の程度（下降の程度）を把握するとともに、排気口１２１ａから給湯装置１に流入（逆流）する温度を測定できる外気温センサーの検出温度を参照すれば、給湯装置１に流入（逆流）する風の程度を推定することができるので、最も凍りやすい例えば顕熱熱交換部１２２を凍結から保護するのに必要な熱量をリアルタイムに把握することができる。
【００５７】
このように給湯装置１に内蔵されている温度センサーを参照することで、給湯装置１に流入（逆流）する風の有無や強さを推定し、測定できない給湯装置１の内部温度（例えば顕熱熱交換部１２２の中央部）が低下したか否かを演算で求め、最も凍りやすい部分の温度が低下している場合にだけヒーターを強めることで（排気口１２１ａから給湯装置１に流入（逆流）する風の有無と強さ、給湯装置１の外のヒーターの有無とその作動状況に応じてヒーターを強めることを、後述のＣＰＵで演算、判断、制御することで）、省エネルギー性能を向上させるようにしたのである。
【００５８】
なお本実施例で矢印Ｅのように熱が移動しているが、それは給水の一部を矢印Ｄが移動する配管に混ぜる弁が常開であるためである。機器によっては前記弁が常閉である場合があるので、その場合は前記演算に用いる給水サーミスター１５２の影響を少なくしたり、又は給水サーミスター１５２からの情報を勘案することなく演算するようにしても良い。
【００５９】
また、常にＣＰＵをアクティブ状態にしては、電力が常に消費されてしまう。そこで、ＣＰＵのスリープモードを活用するとともに、スリープモードからの復帰には、サーモスタットを用いるようにしたのである。サーモスタットは、温度を検出する精度はそれほど高くないものの電力を消費しないので、省エネにつながる。サーモスタットで大まかに凍結の可能性がある温度を検出したら、ＣＰＵをスリープモードから復帰させてアクティブ状態に移行させて、正確な温度を検出する。そして、この温度に基づいてヒーターを制御するようにしたのである。このようにすることで、省エネルギー性能を向上させることができるのである。
【００６０】
具体的な内容を以下に説明する。
【００６１】
図９は、ＣＰＵをスリープ状態から復帰させるための回路の一例を示す図である。
【００６２】
上述のように、常にＣＰＵをアクティブ状態にしていては、電力が常に消費されてしまう。そこで、本実施形態では、図９に示すように、低温（たとえば７℃程度以下）の場合に通電するサーモスタット３０を用いて回路を組み、ＣＰＵをアクティブ状態にする必要がなければスリープ状態にしておき、サーモスタット３０の通電信号（キー割り込み信号）を受けたら、ＣＰＵがアクティブ状態に移行するようにした。このようにすることで、省エネルギー性能が向上するのである。
【００６３】
次に、ＣＰＵが実行する具体的な制御について説明する。
【００６４】
図１０は、給湯装置１のＣＰＵが実行する制御の内容を説明するメインフローチャートである。この制御は、所定時間サイクルで繰り返し実行される。
【００６５】
続いて図１０を参照して、給湯装置１の制御内容について説明する。
【００６６】
ステップＳ１００において、ＣＰＵは、ＣＰＵ作動制御を実行する。具体的な制御内容は後述される。
【００６７】
ステップＳ２００において、ＣＰＵがアクティブ状態であればステップＳ３００の処理が実行されるが、そうでなければステップＳ３００の処理が実行されない。
【００６８】
ステップＳ３００において、ＣＰＵは、凍結防止制御を実行する。具体的な制御内容は後述される。
【００６９】
図１１は、ＣＰＵ作動制御を説明するフローチャートである。
【００７０】
ステップＳ１１０において、ＣＰＵは、スリープ条件が成立したか否かを判定する。ここで、スリープ条件は、たとえば、ＣＰＵの処理がないまま暫く時間が経過した場合などに成立する。ＣＰＵは、判定結果が肯であればステップＳ１２０へ処理を移行し、判定結果が否であれば処理を抜ける。
【００７１】
ステップＳ１２０においては、ＣＰＵは、スリープモードに移行する。
【００７２】
ＣＰＵがスリープモードの場合は、リモコン操作があった場合、サーモスタット通電信号（キー割り込み信号）があった場合にのみスリープモードの解除処理が実行されるが、それら以外の処理は実行されない。
【００７３】
図１２は、凍結防止制御を説明するフローチャートである。
【００７４】
ステップＳ３１０において、ＣＰＵは、サーモスタットの通電信号があるか否かを判定する。ＣＰＵは、判定結果が肯であればステップＳ３２０へ処理を移行し、判定結果が否であればステップＳ３８０へ処理を移行する。
【００７５】
ステップＳ３２０において、ＣＰＵは、ヒーター制御中であるか否かを判定する。ＣＰＵは、判定結果が否であればステップＳ３３０へ処理を移行し、判定結果が肯であればステップＳ３５０へ処理を移行する。
【００７６】
ステップＳ３３０において、ＣＰＵは、サーミスター（温度センサー）の検出温度が３℃以下であるか否かを判定する。ＣＰＵは、判定結果が肯であればステップＳ３４０へ処理を移行し、判定結果が否であれば処理を抜ける。なお「３℃」というのは凍結防止制御を開始するための温度であるが、具体的な数値は一例に過ぎない。
【００７７】
ステップＳ３４０においては、ＣＰＵは、ヒーターを制御するためのインターバルを設定する。具体的には、たとえばサーミスター（温度センサー）の検出温度に応じたインターバルのデータを予めメモリーに記憶しておき、そのデータを参照することで設定すればよい。また、外気温に応じたインターバルのデータを予めメモリーに記憶しておき、そのデータを参照することで設定してもよい。
【００７８】
ステップＳ３５０において、ＣＰＵは、サーミスター（温度センサー）の検出温度に基づいてインターバルを補正する必要があるか否かを判定する。なおサーミスターの現在の検出温度で判定すれば、迅速に制御することができる。これはたとえば、給湯装置１の使用を停止してから、あまり時間が経過していない場合に、サーミスターの検出温度が想定される温度よりも低ければ、風（空気）が流入して配管が冷やされていることが推測され、このような場合には、迅速にヒーターのインターバルを補正することで凍結防止を図ることができる。またヒーター制御を開始してからの検出温度の変化量（温度勾配）で判定すれば、より正確に判定することができる。給湯装置１の使用を停止してから、時間が経過していれば配管の温度が低くなっており、風（空気）が流入しても、あまり温度が変わらない事態も想定される。しかしながら、ヒーター制御を開始しても検出温度が変化しない場合は、風（空気）が流入して配管が冷やされているため温度が上昇しないことが推測され、このような場合には、ヒーターのインターバルを補正することで凍結防止を図ることができる。またヒーターのインターバルを補正したままの状態で、風が止んだ場合には、サーミスターの検出温度が、想定される温度よりも高かったり、検出温度の変化量（温度勾配）が、想定される温度変化量よりも大きいことも考えられる。このような場合にも、インターバルを補正することで、無用な電力消費を回避できる。ＣＰＵは、判定結果が肯であればステップＳ３６０へ処理を移行し、判定結果が否であればステップＳ３７０へ処理を移行する。
【００７９】
ステップＳ３６０においては、ＣＰＵは、ヒーターを制御するためのインターバルを補正する。具体的には、風が吹き込むなどして、検出温度が想定よりも低い場合には、ヒーターをオンにする割合が増えるようにインターバルを補正する。つまり、通常は１分オンして３分オフするインターバルを、１分３０秒オンして２分３０秒オフするというように、インターバルを補正するのである。また、一旦、ヒーターのオン割合が増えるようにインターバルを補正したのち、風が止んでも、そのインターバルを継続しては、検出温度が想定よりも高くなる。このような場合には、ヒーターをオフにする割合が増えるようにインターバルを補正する。
【００８０】
なお、補正は、ヒーターをオンにする割合を予め設定しておいた割合にしてもよいし、サーミスター（温度センサー）の検出温度に応じて異ならせてもよい。また、ヒーターをオンにする割合が１０％増えるようにというように一定比率で補正してもよい。
【００８１】
ステップＳ３７０においては、ＣＰＵは、ヒーターのインターバル制御を実行する。
【００８２】
ステップＳ３８０においては、ＣＰＵは、ヒーター制御を終了する。
【００８３】
次に、各シーンに沿って、ＣＰＵの処理を説明する。なお以下では、上述のフローチャートとの対応が分かりやすくなるように、フローチャートのステップ番号を適宜記載する。
【００８４】
（気温が高い状態でリモコンのスイッチがオフ→オンされたが、その後操作がされなかった場合）
リモコンのスイッチがオフ→オンされると、ＣＰＵが起動してアクティブ状態になる。この状態では、ＣＰＵは、ＳＴＡＲＴ→Ｓ１００→Ｓ１１０→Ｓ２００→Ｓ３００→Ｓ３１０→Ｓ３８０→ＥＮＤと処理して、ヒーター制御を行わない。この処理が繰り返されたまま所定時間が経過すると、スリープ条件が成立し、ＣＰＵは、ＳＴＡＲＴ→Ｓ１００→Ｓ１１０→Ｓ１２０→Ｓ２００→ＥＮＤと処理し、スリープ状態になる。これによって、ＣＰＵでの無駄な電力消費を回避できる。気温が下がってサーモスタットが通電するまでは、ＣＰＵのスリープモードが継続する。
【００８５】
（気温が下がってサーモスタットが通電したが、サーミスターの検出温度が３℃よりも高い場合）
気温が下がってサーモスタットが通電すると、ＣＰＵのスリープモードが解除され、ＣＰＵは、ＳＴＡＲＴ→Ｓ１００→Ｓ１１０→Ｓ２００→Ｓ３００→Ｓ３１０→Ｓ３２０→Ｓ３３０→ＥＮＤと処理する。それ以降、気温が下がってヒーター制御を実行する必要が生じるまでは、この処理が繰り返される。
【００８６】
（気温がさらに下がってサーミスターの検出温度が３℃以下になった場合）
気温がさらに下がってサーミスターの検出温度が３℃以下になると、ＣＰＵは、ＳＴＡＲＴ→Ｓ１００→Ｓ１１０→Ｓ２００→Ｓ３００→Ｓ３１０→Ｓ３２０→Ｓ３３０→Ｓ３４０→Ｓ３７０→ＥＮＤと処理して、インターバルを設定してヒーター制御を開始する。それ以降、サーミスターの検出温度が想定内であれば、ＣＰＵは、ＳＴＡＲＴ→Ｓ１００→Ｓ１１０→Ｓ２００→Ｓ３００→Ｓ３１０→Ｓ３２０→Ｓ３５０→Ｓ３７０→ＥＮＤという処理が繰り返される。
【００８７】
（風が吹き込むなどして、サーミスターの検出温度が想定される温度よりも低い場合）
風が吹き込むなどして、サーミスターの検出温度が想定される温度よりも低い場合には、ＣＰＵは、ＳＴＡＲＴ→Ｓ１００→Ｓ１１０→Ｓ２００→Ｓ３００→Ｓ３１０→Ｓ３２０→Ｓ３５０→Ｓ３６０→Ｓ３７０→ＥＮＤと処理して、ヒーターをオンにする割合が増えるようにインターバルを補正する。インターバルを補正しても、まだサーミスターの検出温度が低い場合には、同じ処理の実行によって、ヒーターをオンにする割合がさらに増えるようにインターバルを補正する。最終的には、ヒーターがずっとオン状態となることも想定される。
【００８８】
（風が止んでサーミスターの検出温度が高くなった場合）
風が止んでサーミスターの検出温度が高くなった場合には、ＣＰＵは、ＳＴＡＲＴ→Ｓ１００→Ｓ１１０→Ｓ２００→Ｓ３００→Ｓ３１０→Ｓ３２０→Ｓ３５０→Ｓ３６０→Ｓ３７０→ＥＮＤと処理して、ヒーターをオフにする割合が増えるようにインターバルを補正する。このようにすることで、ヒーターでの無駄な電力消費を回避できる。
【００８９】
（気温が上がってサーモスタットが通電しなくなった場合）
気温が上がってサーモスタットが通電しなくなった場合には、ＣＰＵは、ＳＴＡＲＴ→Ｓ１００→Ｓ１１０→Ｓ２００→Ｓ３００→Ｓ３１０→Ｓ３８０→ＥＮＤと処理して、ヒーター制御を終了する。そして、次サイクル以降、スリープ条件が成立すれば、ＣＰＵがスリープ状態になり、ＣＰＵでの無駄な電力消費を防止できる。
【００９０】
外気温が一定であっても、風が吹き込むなどした場合には、給湯装置１の温度が下がる。外気温センサーの検出温度に応じてヒーターのインターバルを変更する方法では、このような場合に対応できず、凍結の可能性が否定できない。これに対して、本実施形態によれば、給湯装置１に内蔵されたサーミスター（温度センサー）の検出信号に応じてヒーターのインターバルを設定するようにしたので、風が吹き込むなどして外気温は変わらないものの温度が低下するような場合でも、凍結を防止することができる。
【００９１】
またヒーターのインターバルを徐々に変更することで、ヒーターでの無駄な電力消費を回避できる。
【００９２】
また、風が止んでも、ヒーターのオン時間が長いままであっては、ヒーターで無駄に電力を消費してしまう。これに対して、本実施形態では、サーミスターの検出温度が高くなった場合には、ヒーターをオフにする割合が増えるようにインターバルを補正するので、これによってもヒーターでの無駄な電力消費を回避できる。
【００９３】
また給湯装置１のヒーターに対応する各箇所の温度を検出するには、その箇所毎にサーミスターを取り付けることも考えられるが、そのようにするには多数のサーミスターが必要になってしまう。これに対して、本実施形態では、少ないサーミスター（実施形態では３つのサーミスターを例示した）の温度の組み合わせパターンによって、各箇所の温度を推定（間接的に検出）することができ、コストを安価に抑えることができる。
【００９４】
さらにまた、そもそも外気温が高く、ヒーターを使用する必要がない場合には、サーミスターで温度を検出しておく必要がない。サーミスターで温度を検出するには、ＣＰＵを作動させておく必要があり、ＣＰＵで電力を消費してしまう。これに対して、ヒーターを使用する必要がない場合には、ＣＰＵをスリープ状態にすることで、ＣＰＵでの無駄な電力消費を防止できる。そして、低温で通電するサーモスタットの通電信号に基づいてスリープ状態を解除するようにした。サーモスタットは、たとえばバイメタルを使用しており、外部から電力を供給する必要がなく、電力を無用に消費してしまうことを回避できる。またサーモスタットの通電信号（割り込み信号）の有無を待機するのに要する電力の消費は、非常に少ない。そこで、このようにすることで高い省エネ効果を期待できるのである。
【００９５】
＜第２実施形態＞
図１３は、第２実施形態における凍結防止制御を説明するフローチャートである。
【００９６】
第１実施形態では、ヒーターを全体的に制御していたが、この第２実施形態では、それぞれのヒーターを個別に制御する。すなわち、給湯装置１に内蔵されている温度センサーを参照することで、給湯装置１の内部温度が低下したか否かを検出し、低下している場合には必要なヒーターだけを強めることで、省エネルギー性能を向上させるようにしたのである。なお上記説明の通り、例示した給湯装置１では、８個のヒーターと３個のサーミスター（温度センサー）を使用している。サーミスターの検出温度パターンに応じてどのヒーターを強めれば良いかを予め実験等を通じて確認しておき、そのデータに基づいてヒーターを個別に制御すればよい。このようにすることで、少ないサーミスターの温度の組み合わせパターンによって、各箇所の温度を推定（間接的に検出）することができ、コストを安価に抑えつつ、必要なヒーターだけを強めることで、省エネルギー性能を向上させることができるのである。
【００９７】
以上、本発明の実施形態について説明したが、上記実施形態は本発明の適用例の一部を示したに過ぎず、本発明の技術的範囲を上記実施形態の具体的構成に限定する趣旨ではない。
【００９８】
たとえば、ステップＳ３４０においては、インターバルを設定する際に、サーミスター（温度センサー）の検出温度に応じたインターバルのデータを予めメモリーに記憶しておき、そのデータを参照することでインターバルを設定してもよいし、外気温に応じたインターバルのデータを予めメモリーに記憶しておき、そのデータを参照することでインターバルを設定してもよい。サーミスターの検出温度に応じたインターバル設定とすれば、より詳細な制御が可能になり、外気温に応じたインターバル設定とすれば、予め準備するデータが少なくてよく簡易的に実施可能である。
【００９９】
上記実施形態は、適宜組み合わせ可能である。
【符号の説明】
【０１００】
１  給湯装置
１０  給湯燃焼ユニット
１１  バーナー
１２  熱交換器
１２１  潜熱熱交換部
１２２  顕熱熱交換部
１５１〜１５３  サーミスター（温度センサー）
１６１〜１６８  ヒーター
３０  サーモスタット
Ｓ３００  凍結防止制御部
Ｓ３２０〜Ｓ３６０  インターバル設定部
Ｓ３７０  ヒーター制御部
【図１】
0006499503.tif 000002
【図２】
0006499503.tif 000003
【図３】
0006499503.tif 000004
【図４】
0006499503.tif 000005
【図５】
0006499503.tif 000006
【図６】
0006499503.tif 000007
【図７】
0006499503.tif 000008
【図８】
0006499503.tif 000009
【図９】
0006499503.tif 000010
【図１０】
0006499503.tif 000011
【図１１】
0006499503.tif 000012
【図１２】
0006499503.tif 000013
【図１３】
0006499503.tif 000014